【手続補正書】
【提出日】平成18年8月31日(2006.8.31)
【手続補正１】
【補正対象書類名】明細書
【補正対象項目名】特許請求の範囲
【補正方法】変更
【補正の内容】
【特許請求の範囲】
【請求項１】  接続端子に接続されるデバイスに、前記接続端子を介して電力供給可能な電子機器であって、
前記電子機器に電力を供給する電源と、
前記接続端子への前記デバイスの接続に応じて、前記接続端子を介して前記デバイスの消費電力に関する情報を取得する取得手段と、
前記電源からの電力供給量を監視する電力供給量監視手段と、
前記取得手段によって取得された前記デバイスの消費電力に関する情報と前記電力供給量監視手段によって監視している前記電力供給量とを比較する比較手段と、
前記取得手段によって取得された情報に基づいて、前記接続されたデバイスの消費電力が前記電源の電力供給量を超える場合、前記デバイスへの電力供給を制限する制限手段と、
を具備することを特徴とする電子機器。
【請求項２】  前記デバイスに第１の電流値で電力の供給を可能とする第１のモードと、前記第１の電流値より小さい第２の電流値で電力の供給を可能とする第２のモードとを切り換える切換手段をさらに具備し、
前記取得手段によって取得された情報に基づいて、前記接続されたデバイスの消費電力が、前記電源の電力供給量を超える場合、前記切換手段によって前記第２のモードに切り換えることを特徴とする請求項１に記載の電子機器。
【請求項３】  前記制限手段によって前記デバイスへの電力供給が制限された場合、前記デバイスに対して電力供給を制限したことを表示する表示手段をさらに具備することを特徴とする請求項１に記載の電子機器。
【請求項４】  接続端子に接続されるデバイスに、前記接続端子を介して電力供給可能な電子機器の制御方法であって、
前記接続端子への前記デバイスの接続に応じて、前記接続端子を介して前記デバイスの消費電力に関する情報を取得する取得工程と、
前記電源からの電力供給量を監視する電力供給量監視工程と、
前記取得工程によって取得された前記デバイスの消費電力に関する情報と前記電力供給量監視工程によって監視している前記電力供給量とを比較する比較工程と、
前記取得工程によって取得された情報に基づいて、前記接続されたデバイスの消費電力が前記電源の電力供給量を超える場合、前記デバイスへの電力供給を制限する制限工程と、
を具備することを特徴とする電子機器の制御方法。
【請求項５】  接続端子に接続されるデバイスに、前記接続端子を介して電力供給可能な電子機器の制御プログラムを記憶した記憶媒体であって、
前記制御プログラムが、
前記接続端子への前記デバイスの接続に応じて、前記接続端子を介して前記デバイスの消費電力に関する情報を取得する取得工程のコードと、
前記電源からの電力供給量を監視する電力供給量監視工程のコードと、
前記取得工程によって取得された前記デバイスの消費電力に関する情報と前記電力供給量監視工程によって監視している前記電力供給量とを比較する比較工程のコードと、
前記取得工程によって取得された情報に基づいて、前記接続されたデバイスの消費電力が前記電源の電力供給量を超える場合、前記デバイスへの電力供給を制限する制限工程のコードと、を備えることを特徴とする記憶媒体。
【手続補正２】
【補正対象書類名】明細書
【補正対象項目名】０００９
【補正方法】変更
【補正の内容】
【０００９】
【課題を解決するための手段】
上述した課題を解決し、目的を達成するために、本発明に係わる電子機器は、接続端子に接続されるデバイスに、前記接続端子を介して電力供給可能な電子機器であって、前記電子機器に電力を供給する電源と、前記接続端子への前記デバイスの接続に応じて、前記接続端子を介して前記デバイスの消費電力に関する情報を取得する取得手段と、前記電源からの電力供給量を監視する電力供給量監視手段と、前記取得手段によって取得された前記デバイスの消費電力に関する情報と前記電力供給量監視手段によって監視している前記電力供給量とを比較する比較手段と、前記取得手段によって取得された情報に基づいて、前記接続されたデバイスの消費電力が前記電源の電力供給量を超える場合、前記デバイスへの電力供給を制限する制限手段と、を具備することを特徴としている。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
また、本発明に係わる電子機器の制御方法は、接続端子に接続されるデバイスに、前記接続端子を介して電力供給可能な電子機器の制御方法であって、前記接続端子への前記デバイスの接続に応じて、前記接続端子を介して前記デバイスの消費電力に関する情報を取得する取得工程と、前記電源からの電力供給量を監視する電力供給量監視工程と、前記取得工程によって取得された前記デバイスの消費電力に関する情報と前記電力供給量監視工程によって監視している前記電力供給量とを比較する比較工程と、前記取得工程によって取得された情報に基づいて、前記接続されたデバイスの消費電力が前記電源の電力供給量を超える場合、前記デバイスへの電力供給を制限する制限工程と、を具備することを特徴としている。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】変更
【補正の内容】
【００２５】
また、本発明に係わる記憶媒体は、接続端子に接続されるデバイスに、前記接続端子を介して電力供給可能な電子機器の制御プログラムを記憶した記憶媒体であって、前記制御プログラムが、前記接続端子への前記デバイスの接続に応じて、前記接続端子を介して前記デバイスの消費電力に関する情報を取得する取得工程のコードと、前記電源からの電力供給量を監視する電力供給量監視工程のコードと、前記取得工程によって取得された前記デバイスの消費電力に関する情報と前記電力供給量監視工程によって監視している前記電力供給量とを比較する比較工程のコードと、前記取得工程によって取得された情報に基づいて、前記接続されたデバイスの消費電力が前記電源の電力供給量を超える場合、前記デバイスへの電力供給を制限する制限工程のコードと、を備えることを特徴としている。